(57)【要約】      （修正有）【課題】収納物を収納していない状態でも自立が可能で、仕切りと底部の強度を高めることが可能な仕切り付袋を提供する。【解決手段】前後側面１，２と左右側面３，４と底面５とを有する底ガゼット袋Ｐを形成する。筒状の仕切り体１０を設け、底ガゼット袋Ｐの収納部Ｐ１内に仕切り体を縦に設置する。また、仕切り体の底側端部に折込み片を形成し、底面の内向きに折り込まれる折込みに沿って折込み片を重合し接着するとともに、仕切り体の周側面の一部１２Ａを前後側面１，２の内側に接着し、仕切り体の内側に有底筒状の収納部Ｐ１を形成する。【選択図】図１
0003190409.tif 000002
【実用新案登録請求の範囲】
【請求項１】
前後側面と左右側面と底面とが形成された底ガゼット袋であって、該底ガゼット袋の収納部内に縦に設置する筒状の仕切り体を設け、該仕切り体を底面の内側から前後側面の内側に連続して接合し、該仕切り体にて底ガゼット袋の収納部を複数に仕切ったことを特徴とする仕切り付袋。
【請求項２】
前記仕切り体は、前記底面の幅中央で内向きに折り込まれる折込みに沿って重合する折込み片が仕切り体の底側端部に形成され、該折込み片を前記底ガゼット袋の底面に接着すると共に、前記仕切り体の筒状を成す周側面の一部を前記前後側面の内側に接着し、仕切り体の内側に有底筒状の収納部を形成するように構成した請求項１記載の仕切り付袋。
【請求項３】
前記仕切り体は高さ変更自在に形成され、前記底ガゼット袋の内部に設ける仕切りの高さを変更できるように構成した請求項１又は２記載の仕切り付袋。
【請求項４】
前記底ガゼット袋の前記前後側面のいずれか一方又は両方の上端縁から延長され、前記仕切り体で仕切られた収納部の開口部全体又は開口部の一部を施蓋するフラップを形成した請求項１乃至３いずれか記載の仕切り付袋。
【請求項５】
前記底ガゼット袋の前記前後側面の上端縁から一対の把手片が延長形成され、該把手片に手孔又は手提げを設けた請求項１乃至３いずれか記載の仕切り付袋。
【請求項６】
前記底ガゼット袋の前記前後側面のいずれか一方の上端縁から垂直上方に延長され、係止孔を備えた係止片と、該係止片から屈曲延長され、前記底ガゼット袋の開口部を施蓋するフラップとを設けた請求項１乃至３いずれか記載の仕切り付袋。
【請求項７】
前記底ガゼット袋は、前記前後側面の上端部内側に前記収納部の開口部を開閉自在に封着せしめる密封チャックを設けた請求項１乃至３いずれか記載の仕切り付袋。
【考案の詳細な説明】
【技術分野】
【０００１】
本考案は、内部に複数の仕切りを備え、各仕切りによって形成された収納室の強度を高めることができる仕切り付袋に関する。
【背景技術】
【０００２】
従来、内部に複数の仕切りを備えた袋として、例えば特許文献１に記載のガゼット袋や、特許文献２に記載のレジ袋などが提案されている。特許文献１に記載のガゼット袋は、側面にマチ部を備える、所謂、横ガゼット袋の内部に複数の部屋を設けたもので、帯状の縦シール部を正面部及び背面部の内面に接着して仕切りを設けたものである。
【０００３】
一方、特許文献２に記載の仕切り付袋は、レジ袋の内部に仕切りを設けることで、商品を効率良く詰めることができるようにしたものである。すなわち、手提げ部を備えたレジ袋の収納部に、該収容部を複数の区画に区切る間仕切を設けた構成である。
【先行技術文献】
【特許文献】
【０００４】
【特許文献１】特許第３８４４８２８号公報
【特許文献２】特開２００６-１３１２５０号公報
【考案の開示】
【考案が解決しようとする課題】
【０００５】
特許文献１に示される横ガゼット袋は、袋の高さ方向に接着した帯状の縦シール部で仕切りを形成しており、仕切りの底部は、横ガゼット袋の扁平な底シール部と共に平面状にシールされている。したがって、２室を有するガゼット袋になっていても、横ガゼット袋の底シール部は平面的な構成なので、収納物を収納していない状態では袋を自立させることはできない。
【０００６】
一方、特許文献２に示されるレジ袋は、手提げ部を備えたレジ袋の収納部に切断可能な間仕切を設けたものなので、このレジ袋も特許文献１のガゼット袋のように、収納物を収納していない状態では自立させることができない。このようなレジ袋を自立させるには、例えば、収納部の四隅に、袋の材質よりも剛性のある芯部を上下方向に設ける必要があるなど、製造コストが著しく高まる不都合がある。
【０００７】
そこで本考案は、上述の課題を解消すべく案出されたもので、収納物を収納していない状態でも自立が可能で、しかも、仕切りと底部の強度を高めることが可能な仕切り付袋の提供を目的とするものである。
【課題を解決するための手段】
【０００８】
本考案の第１の手段は、前後側面１，２と左右側面３，４と底面５とが形成された底ガゼット袋Ｐであって、該底ガゼット袋Ｐの収納部Ｐ１内に縦に設置する筒状の仕切り体１０を設け、該仕切り体１０を底面５の内側から前後側面１，２の内側に連続して接合し、該仕切り体１０にて底ガゼット袋Ｐの収納部Ｐ１を複数に仕切ったことにある。
【０００９】
第２の手段において、前記仕切り体１０は、前記底面５の幅中央で内向きに折り込まれる折込みに沿って重合する折込み片１１が仕切り体１０の底側端部に形成され、該折込み片１１を前記底ガゼット袋Ｐの底面５に接着すると共に、前記仕切り体１０の筒状を成す周側面１２の一部を前記前後側面１，２の内側に接着し、仕切り体１０の内側に有底筒状の収納部Ｐ１を形成するように構成している。
【００１０】
第３の手段の前記仕切り体１０は高さ変更自在に形成され、前記底ガゼット袋Ｐの内部に設ける仕切りの高さを変更できるように構成したものとする。
【００１１】
第４の手段は、前記底ガゼット袋Ｐの前記前後側面１，２のいずれか一方又は両方の上端縁から延長され、前記仕切り体１０で仕切られた収納部Ｐ１の開口部全体又は開口部の一部を施蓋するフラップ６を形成したものである。
【００１２】
第５の手段は、前記底ガゼット袋Ｐの前記前後側面１，２の上端縁から一対の把手片７が延長形成され、該把手片７に手孔７Ａ又は手提げ７Ｂを設けたことにある。
【００１３】
第６の手段は、前記底ガゼット袋Ｐの前記前後側面１，２のいずれか一方の上端縁から垂直上方に延長され、係止孔８Ａを備えた係止片８と、該係止片８から屈曲延長され、前記底ガゼット袋Ｐの開口部を施蓋するフラップ９とを設けたものである。
【００１４】
第７の手段は、前記底ガゼット袋Ｐは、前記前後側面１，２の上端部内側に前記収納部Ｐ１の開口部を開閉自在に封着せしめる密封チャック２０を設けたものである。
【考案の効果】
【００１５】
本考案の請求項１の如く、底ガゼット袋Ｐの収納部Ｐ１内に縦に設置する筒状の仕切り体１０を設け、該仕切り体１０を底面５の内側から前後側面１，２の内側に連続して接合し、該仕切り体１０にて底ガゼット袋Ｐの収納部Ｐ１を複数に仕切ったことにより、収納物を収納していない状態でも自立する仕切り付袋を提供することに成功した。この結果、例えば、複数に仕切られた収納部Ｐ１に、シャンプーやリンス、あるいは販促用品などを個別に収納したセット商品として合理的に展示することが可能になる。
【００１６】
請求項２のように、仕切り体１０は、底面５の幅中央で内向きに折り込まれる折込みに沿って重合する折込み片１１が仕切り体１０の底側端部に形成され、該折込み片１１を底ガゼット袋Ｐの底面５に接着することで、底ガゼット袋Ｐの底面５と仕切り体１０の折込み片１１とが二重に接合されることになる。したがって、底ガゼット袋Ｐの底面５と共に、仕切り体１０の底部の強度を高めることができ、各収納部Ｐ１に重量物を収納することも可能になる。
【００１７】
しかも、仕切り体１０の筒状を成す周側面１２の一部を前記前後側面１，２の内側に接着し、仕切り体１０の内側に有底筒状の収納部Ｐ１を形成するように構成しているので、収納容積の異なる収納部Ｐ１を任意に形成することができる。
【００１８】
請求項３のように、仕切り体１０は高さ変更自在に形成され、底ガゼット袋Ｐの内部に設ける仕切りの高さを変更できるように構成したことで、本発明仕切り付袋を使用目的に応じた最適な形状に調整することができる。
【００１９】
請求項４のごとく、底ガゼット袋Ｐの前記前後側面１，２のいずれか一方又は両方の上端縁から延長され、仕切り体１０で仕切られた収納部Ｐ１の開口部全体又は開口部の一部を施蓋するフラップ６を形成したことで、フラップ６を備えた仕切り付袋を提供できる。
【００２０】
請求項５のごとく、底ガゼット袋Ｐの前後側面１，２の上端縁から一対の把手片７が延長形成され、該把手片７に手孔７Ａ又は手提げ７Ｂを設けたことにより、持ち運びに便利な仕切り付袋を提供できる。
【００２１】
請求項６のごとく、底ガゼット袋Ｐの前記前後側面１，２のいずれか一方の上端縁から垂直上方に延長され、係止孔８Ａを備えた係止片８と、該係止片８から屈曲延長され、前記底ガゼット袋Ｐの開口部を施蓋するフラップ９とを設けたことで、例えば陳列用のフックなどに係止して展示することが可能になる。
【００２２】
請求項７の如く、底ガゼット袋Ｐの前後側面１，２の上端部内側に密封チャック２０を設けたことで、収納部Ｐ１の開口部を開閉自在に封着することができる。
【００２３】
このように本考案によると、収納物を収納していない状態でも自立が可能で、しかも、仕切りと底部の強度を高めることが可能になったものである。
【図面の簡単な説明】
【００２４】
【図１】本考案袋の一実施例を示す斜視図である。
【図２】本考案袋の一実施例を示す分解斜視図である。
【図３】本考案の仕切り体の折込み片を示す要部斜視図である。
【図４】本考案袋の使用例を示す斜視図である。
【図５】図３に示す袋を折りたたんだ状態を示す正面図である。
【図６】本考案袋の他の実施例を示す斜視図である。
【図７】図６に示す袋を折りたたんだ状態を示す正面図である。
【図８】本考案袋の他の実施例を示す斜視図である。
【図９】図８に示す袋を折りたたんだ状態を示す正面図である。
【図１０】本考案袋の他の実施例を示す斜視図である。
【図１１】本考案袋の他の使用例を示す斜視図である。
【図１２】図１０に示す袋を折りたたんだ状態を示す正面図である。
【図１３】本考案袋の他の実施例を示す斜視図である。
【図１４】図１３に示す袋を折りたたんだ状態を示す正面図である。
【考案を実施するための形態】
【００２５】
本考案で使用する底ガゼット袋Ｐは合成樹脂材とし、例えば、厚さ0.03〜0.1mmのポリプロピレンフィルムに厚さ0.015 mmのナイロンフィルムがラミネートされたフィルム材にて形成された袋体を使用する。また、このほかの材質として、OPPフィルムシート、CCPフィルム、PEフィルム、A-PETフィルム、PETフィルムシート、OPSフィルムなどの使用も可能である。
【００２６】
本考案仕切り付袋は、底ガゼット袋Ｐを使用するものである（図３参照）。すなわち、前後側面１，２と左右側面３，４と底面５とが形成されたもので、側面と底面にそれぞれマチが形成されるものである。
【００２７】
仕切り体１０は、底ガゼット袋Ｐの収納部Ｐ１内に縦向きに設置する筒状の部材で底ガゼット袋Ｐと同じ材質にて形成されている。この仕切り体１０を底面５の内側から前後側面１，２の内側に連続して接合すると、底ガゼット袋Ｐの収納部Ｐ１は、仕切り体１０にて複数に仕切られるものである（図１参照）。
【００２８】
図示の仕切り体１０は、底面５の幅中央で内向きに折り込まれる折込みに沿って重合する折込み片１１が仕切り体１０の底側端部に形成されたものである（図３参照）。そして、この折込み片１１を底ガゼット袋Ｐの底面５に接着すると、底面５の折込みと共に仕切り体１０の折込み片１１も折り込まれる状態になる（図５参照）。また、底面５を開くと、この底面５と共に折込み片１１も開く構成になる（図１参照）。
【００２９】
更に、仕切り体１０の周側面１２の一部を接着面１２Ａとして前後側面１，２の内側に接着すると、仕切り体１０の内側に有底筒状の収納部Ｐ１が形成される（図１参照）。仕切り体１０で形成する収納部Ｐ１は、他の収納部Ｐ１と形状が相違している。図１乃至図５に示す底ガゼット袋Ｐは、後側面２の上端縁から延長されたフラップ６を形成したものである。このフラップ６は、仕切り体１０で仕切られた収納部Ｐ１の開口部全体を施蓋する（図４参照）。そしてフラップ６に設けた接着シール６Ａ等にてフラップ６を固定する。このフラップ６は、前後側面１，２の両方から形成することが可能であり、また、収納部Ｐ１の開口部の一部を施蓋するフラップ６を形成することも可能である（図示せず）。
【００３０】
仕切り体１０は高さ変更自在な部材とすることで、底ガゼット袋Ｐの内部に設ける仕切りの高さを変更できるように構成している。図６乃至図９に示す底ガゼット袋Ｐは、前後側面１，２の上端縁から一対の把手片７が延長形成されたものである。すなわち、図６、図７に示す把手片７には、手孔７Ａが開穿されている。一方、図８、図９に示す把手片７には、にそれぞれ手提げ７Ｂが形成されている。把手片７には、把手片７の強度を高める補強シートを張り付けることも可能である（図示せず）。これら把手片７の手孔７Ａや手提げ７Ｂは、いずれも底ガゼット袋Ｐの運搬を容易にするものである。
【００３１】
図１０乃至図１２に示す底ガゼット袋Ｐは、後側面２の上端縁から垂直上方に延長した係止片８が形成されている。この係止片８には係止孔８Ａが開穿されている。更に、この係止片８からフラップ９が屈曲延長されている。このフラップ９は、底ガゼット袋Ｐの開口部を施蓋する。このとき、収納部Ｐ１の開口部を閉じた状態で施蓋し（図１０参照）、あるいは収納部Ｐ１の開口部が開いた状態で施蓋することができる（図１１参照）。また、このフラップ９にも図１に示す接着シール６Ａ等を設けることも可能である（図示せず）。
【００３２】
図１３、図１４に示す底ガゼット袋Ｐは、収納部Ｐ１の開口部に密封チャック２０を設けた底ガゼット袋Ｐを示している。すなわち、前後側面１，２の上端部内側に密封チャック２０を設けることで、収納部Ｐ１の開口部を開閉自在に密封するものである。
【００３３】
尚、図示例の各構成は、本考案の一実施例に過ぎず、たとえば底ガゼット袋Ｐの形状や仕切り体１０のサイズや設置位置などは、収納する商品の形態に応じて自由に選択できるものであり、本考案の要旨を変更しない範囲において自由に選択することができる。
【符号の説明】
【００３４】
Ｐ  底ガゼット袋
Ｐ１  収納部
１  前側面
２  後側面
３  左側面
４  右側面
５  底面
６  フラップ
６Ａ  接着シール
７  把手片
７Ａ  手孔
７Ｂ  手提げ
８  係止片
８Ａ  係止孔
９  フラップ
１０  仕切り体
１１  折込み片
１１Ａ  接着面
１２  周側面
１２Ａ  接着面
２０  密封チャック
【図１】
0003190409.tif 000003
【図２】
0003190409.tif 000004
【図３】
0003190409.tif 000005
【図４】
0003190409.tif 000006
【図５】
0003190409.tif 000007
【図６】
0003190409.tif 000008
【図７】
0003190409.tif 000009
【図８】
0003190409.tif 000010
【図９】
0003190409.tif 000011
【図１０】
0003190409.tif 000012
【図１１】
0003190409.tif 000013
【図１２】
0003190409.tif 000014
【図１３】
0003190409.tif 000015
【図１４】
0003190409.tif 000016